(57)【要約】【課題】クリップを用いて用紙を綴じる、自動クリップ装着器と同器のベース及びカバー並びにクリップ押し具であって、クリップを用紙に自動的に連続して綴じ付けることができる。【解決手段】長方形のベース２と、カバー３から構成された本体内に、クリップ８及びクリップ押し具６を収納する収納部５を形成し、本体の前端に用紙の差込口７及び拡開ばね１３を設け、本体上面に形成した長孔３５に、プッシャー４を摺動可能に装着し、前記クリップ押し具６と、プッシャー４を、それぞれ伸縮コイルバネ３１で作動するようにしたものである。【選択図】図１
2004001573.tif 000002
【特許請求の範囲】
【請求項１】
　ベースと、カバーよりなる本体の内部に、クリップと、クリップ押し具の収納部を形成し、該収納部にクリップ押し具を常時前方に偏倚するように装着すると共に、本体の前部に用紙の差込口及び一対の拡開ばねを設け、更に本体の後部に掛合部を形成すると共に、カバーの上面前部に長孔を設け、前記長孔に、プッシャーを常時後方に偏倚するように摺動可能に嵌装し、更に、前記長孔の後方にクリップの挿入口を設けると共に、ベースの下面に溝孔を形成し、この溝孔に前記クリップ押し具の指掛け部を嵌装してなる自動クリップ装着器。
【請求項２】
　本体内にクリップとクリップ押し具を収納するほぼ中空の収納部を形成し、本体の前部に用紙の差込口と、拡開ばねを設けると共に、本体の上面に長孔を形成し、前記長孔にプッシャーを前後摺動可能に装着し、前記プッシャーの掛止突部に伸縮コイルバネの一端を掛止し、他端を収納部内に収納されているクリップ押し具の掛止突起に掛止すると共に、前記クリップ押し具と、本体の下面に開閉自在に装着した開閉ハンドル体とを、本体下面に形成した溝孔を貫通して連結体により連結して成る自動クリップ装着器。
【請求項３】
　本体内部に、クリップとクリップ押し具を収納する収納部を形成し、本体の前部に用紙の差込口及び拡開ばねを設けると共に、本体の後部に挿入口及び掛合部を形成し、更にカバーの上面前部に長孔を設け、前記長孔に、プッシャーを常時後方に偏倚するように摺動可能に嵌装したクリップ装着器において、クリップ押し具を圧縮コイルバネで前方に押圧するように構成したクリップ送り装置の基部を本体後部の掛合部に掛止した自動クリップ装着器。
【請求項４】
　本体の内部に、クリップとクリップ押し具を収納する収納部を形成し、本体の前部に用紙の差し込み口及び拡開ばねを設けると共に、カバーの上面前部に長孔を設け、前記長孔に、プッシャーを常時後方に偏倚するように摺動可能に嵌装し、更にクリップ押し具を圧縮コイルバネで前方に押圧するように構成したクリップ送り装置の基部をベース後部に回動自在に装着すると共に、本体下面に溝孔と、クリップ及びクリップ押し具を挿入する挿入口を設けて成る自動クリップ装着器。
【発明の詳細な説明】
【技術分野】
【０００１】
　　本発明はクリップを１個ずつ自動的に繰り出し、このクリップで書類やカード等を連続して装着することができるようにした、自動クリップ装着器と、同器のベース及びカバー並びにクリップ押し具に関するものである。
【背景技術】
【０００２】
　従来からクリップを用いて書類等を綴じる器具として、「ガチャック（登録商標）」や「ユニクリップ（登録商標）」の名称で製造販売されており、また、実公昭５７−５９３４６号の「クリップドライバー」や、実開昭５６−７１７７２号の「クリップ綴じ付け器」。実開昭５６-８６１６８号の「クリップ綴じ付け器」。特開昭５７−６６８７６号の「クリップドライバー」。アメリカ特許第４３５３１５７号の「クリップドライバー」。実開平３−４０８２号の「クリップドライバ」。特開平５−４２７９３号の「クリップ帯体及びクリップドライバ」。特開平６−１５９９４号の「クリップ紙綴じ器の連続紙綴じ装置並びに該装置に用いるカバー及びクリップ押し具」等が開示されている。
【０００３】
　前記の実公昭５７−５９３４６号のものは、本体内にクリップが１個しか装填できないので、使用の都度クリップを装填しなければならないわずらわしさがある。
　次の実開昭５６−７１７７２号のものは、ケースＢ内に数個のクリップが収納できるようになっているが、使用に当って押台Ｄによってクリップを押し出して用紙を綴じた後、再度使用する場合は、まずケースＢの先端を下方に向けて下げ、ケース内のクリップを重力によって降下させ、ケース内の磁石に着磁させてから、押台Ｄによってクリップを押し出して使用するもので、連続して使用することができないので使用の際面倒である。
　また、実開昭５６−８６１６８号及び特開昭５７−６６８７６号のものは、共に連続使用できるようになっているが、前者は基台１の上面を自然重力によって、クリップが降下し得る傾斜面に、クリップのケース２を設けたものであり、後者のものは、クリップを収納し、クリップを順送することが出来る立型クリップケース１１を、水平台１０に立設し、クリップケースの直下部面をクリップ作動準備に位置した前方部分に、クリップ移送路４０を形成したものであって、両者とも卓上使用型の大型のもので、手軽な使用やポケット等に入れて携行することができない。
【０００４】
　次にアメリカ特許第４３５３１５７号の「クリップドライバー」は、前述の各説明のものとほぼ同じであるので説明を省略する。
　次に特開平５−４２７９３号のものは、ワンタッチで多数のクリップをクリップドライバーに装填することができる帯体と、このクリップ帯体によりワンタッチ操作で多数のクリップを装填できるようにしたものである。
　次に特開平６−１５９９４号のものは、連続的にクリップで紙綴じが可能であるが、構成が複雑で、量産性に欠け、高価になる等の問題点があった。
【発明の開示】
【発明が解決しようとする課題】
【０００５】
　以上に示した従来のクリップ装着器にあっては、小型のものは連続して使用することができず、また連続して使用可能なものは大型の卓上式や、構造が複雑であり、製造が面倒で高価になる等の欠点があった。
　本発明が解決しようとする課題は、極めて簡単な構成で小型でありながら、多くのクリップが収納可能で、使用に当ってはクリップを１個ずつ自動的に繰り出し、連続的に紙綴じができると共に、クリップの補給装填が極めて簡単容易にでき、しかも外観的にもスマートな商品価値の高い、自動クリップ装着器と同器のベース及びカバー並びにクリップ押し具を提供することを目的としている。
【課題を解決するための手段】
【０００６】
　上記目的を達成するために、本発明の自動クリップ装着器においては、ベースとカバーから構成された本体内に、クリップとクリップ押し具を収納する、ほぼ中空状の収納部を形成し、本体の前部に用紙の差込口を設け、該差込口の両側後部に拡開バネを装着すると共に、本体の上面に長孔を形成し、前記長孔にプッシャーを前後摺動可能に装着し、前記プッシャーの掛止突部に伸縮コイルバネの一端を掛止し、他端をカバーの下面等に掛止すると共に、本体の上面もしくは下面に、クリップの挿入口を設けたものである。
【０００７】
　次にクリップを補給装填する方法として、後方から補給することもできる。これには、クリップ押し具を装着したクリップ送り装置を別体に設け、このクリップ送り装置を、本体の後方から着脱可能に挿入して、クリップを前方に押圧するもので、クリップ補給時には本体から取り出してクリップを補給するものである。
【０００８】
　次に従来のこの種の製品にあっては、使用中等に不用意に落下して、ベースとカバーが外れることがあるため、金属製の結束バンドで結束していた。このため部品代と組立に手数がかかっていた。
　本発明はこれをなくすため、ベースとカバーの材料を用いて結合装置を作り、これを本体の後方と、中央部と、前方部の少なくとも３箇所に設けることにより、ベースとカバーの不用意な分解を防止するようにしたものである。
【発明の効果】
【０００９】
　本発明は、以上説明したように構成されているので、以下に記載されているような効果を奏する。
【００１０】
　この自動クリップ装着器と同器のベース及びカバー並びにクリップ押し具は、クリップ８で用紙を綴じた後、直ちに次のクリップ８が、クリップ押し具６により、自動的に押進され、次の使用可能状態になるので、連続して紙綴じを行うことができるため、極めて便利である。
【００１１】
　そしてクリップ８を補給する場合に、クリップ押し具６を後退もしくは一時的に取り出すことにより、簡単にクリップ８を補給装填できるので、事務能率の向上に役立つことが出来る。
【００１２】
　従来のこの種の製品に比して、構成がシンプルで製造組立が簡単なため、コストの低減をはかることができ、安価に提供することができる等の利点がある。
【発明を実施するための最良の形態】
【００１３】
　本発明はクリップを用いて用紙を綴じる、自動クリップ装着器と、同器のベース及びカバー並びにクリップ押し具であって、クリップを用紙に自動的に連続して綴じ付けることができるものである。
【実施例１】
【００１４】
　以下図面を参照して、本発明の実施例１について説明すると、図１から図８に示すように、この自動クリップ装着器の本体１は、長方形のベース２と、このベース２を覆うように取り付けられるカバー３とからなり、このカバー３上に、その長手方向にスライドするプッシャー４。並びにベース２とカバー３によって形成される、ほぼ箱形の収納部５内に、摺動可能に挿入されたクリップ押し具６と、一対の拡開ばね１３から主に構成されている。
【００１５】
　これらベース２、カバー３、プッシャー４、クリップ押し具６は、それぞれ合成樹脂で形成されている。またベース２とカバー３の結合により、その前端に書類等の用紙が挿入される差込口７が形成されている。
　このクリップ装着器１で使用されるクリップ８は、図６に示すように、金属板や合成樹脂板で構成された矩形の板上体を折り曲げて、その中央部に折り曲げ部９と、それらの先端が弾性的に接する２つの挟持部１０とを設けた、連続体で構成されている。各挟持部１０の先端両側には、拡開用の耳部１１が突出されている。耳部１１を含む各挟持部１０の先端は拡開しやすいように、互いに外方に曲げられたガイド部１２が形成されている。
【００１６】
　ベース２は、その横断面が略皿状に形成され、長手方向先端部の両側に、クリップ８がこの先端部に位置したとき、耳部１１間に差し込まれ、この耳部１１間を拡開するための、拡開ばね１３がそれぞれ取り付けられている。
　この拡開ばね１３は、図１及び５に示すように、その断面が略横Ｙ字状をしており、その基部に開けられた挿入孔１４を、ベース２に一体的に立設されたピン１５に挿入することにより固着されている。この挿入孔１４及びピン１５の位置は、拡開ばね１３の側縁と係合して、クリップ８の耳部１１が通るのを邪魔しない位置に設定されている。
【００１７】
　またベース２の底面には長手方向に溝１６が形成されており、この溝１６内にクリップ８の折り曲げ部９と、それに続く挟持部１０が嵌入されるようになっている。
　溝１６を形成する一体の縁部１７の外側には、クリップ８の耳部１１を保持する耳ガイド部１８が、拡開ばね１３まで延在している。
【００１８】
　また、ベース２の前部両側には、ベース２とカバー３を結合する掛止片１９を立設し、この掛止片１９をカバー３の先端両側に形成した掛止溝２０に掛止して、ベース２とカバー３を結合し、更にベース２の中間部両側に嵌合孔２１を設け、この嵌合孔２１にカバー３の両側に下方に向けて垂下した掛止突片２２を挿入して、その先端に形成した突子２３を嵌合孔２１に設けた突溝２４に係止して、ベース２とカバー３を更にロックするようにする。
【００１９】
　次にカバー３はその横断面が略逆皿状に形成され、上面に、その略中央部から前部に向かって伸びる長方形の長孔３５を設け、この長孔３５の両側に、プッシャー４を遊装するための摺動縁３６を形成すると共に、先端部両側に、ベース２の先端部両側に立設した掛止片１９が嵌合する、掛止溝２０を設け前記掛止片１９の内側に形成した凸部（図示なし）と前記掛止溝２０内に設けた凹部（図示なし）と嵌合させて、ベース２とカバー３を固く結合させる。
【００２０】
　またクリップ８を押し出すプッシャー４は、図１、図３、図７に示すように、前端に２段に形成された押し当て部３７を設け、その上面後部に伸縮コイルバネ３１の一端を掛止する掛止突部３８を設けると共に、両側の前部下方に突起部３９を突設し、更に上面に指当て部４０を設け、更に指当て部４０の後方両側に、先端部を下方に向けて垂下部４１を設けたばね片部４２を形成し、更に後部に掛止突子４３を設けたものである。
【００２１】
　以上のように構成されたプッシャー４を、カバー３の長孔３５の両側に形成した摺動縁３６の下面に、前記突起部３９及び後方の掛止突子４３を嵌装し、また前記摺動縁３６の上面には、指当て部４０の両側と、ばね片部４２が位置するようにして、ばね片部４２先端の、下方に向けて形成した垂下部４１により、プッシャー４の前方部は図１に示すごとく、指当て部４０に指先を当てて押し下げないかぎり、常時上方に偏倚されるようにしている。
【００２２】
　次にクリップ押し具６は図１及び８に示すように、前端に押圧部３０を設けると共に、中央部下面に、伸縮コイルバネ３１の一端を掛止する掛止突起３２、及び指掛け部２５を下方に向けて突設し、更に後部に弾性板部４８、及びその後端に掛止部２６を設けると共に、両側縁部に摺接部３３を形成してなるものである。
【００２３】
　上記のように構成されたクリップ押し具６を、図１に示すように本体１内の収納部５に嵌装し、伸縮コイルバネ３１の一端を、クリップ押し具６の下面に設けた掛止突起３２に掛止し、他端をベース２の前方上面に突設した掛止突起３２に掛止して、伸縮コイルバネ３１の収縮力により、クリップ押し具６を常時前方に引張って、その前方にあるクリップ８を押進するようにしている。
【００２４】
　なおこの実施例１においては、プッシャー４前端の掛止突部３８に掛止されている伸縮コイルバネ３１の他端は、カバー３の中央部下面に形成された掛止突起３２に掛止されており、更に該掛止突起３２の後方にクリップ８を挿入する挿入口２９が設けられている。
【００２５】
　上記のように構成された、この実施例１の自動クリップ装着器の本体１に、クリップ８を補給装填するには、図１の状態において、ベース２の溝孔２７内に嵌装されている、クリップ押し具６の指掛け部２５に指先を当てて、後方に引き寄せると、伸縮コイルバネ３１のバネ力に抗してクリップ押し具６が後方に移動する。そしてクリップ押し具６の後方に延設された、弾性板部４８の後端に設けられた、掛止部２６が、本体１後部の掛合部２８の後部に掛止し、図１の点線で示した位置に停止する。
【００２６】
　これにより、カバー３の挿入口２９から、収納部５内にクリップ８を順次挿入補給する。そして、適宜数量のクリップ８の補給装填が終ったら、クリップ押し具６の後端の掛止部２６を指先で押し下げると、掛止部２６がカバー３後部の掛合部２８からはずれ、クリップ押し具６が、伸縮コイルバネ３１の収縮力により前進し、押圧部３０が、クリップ８全体を前方に押進して、使用可能の状態になるものである。
【００２７】
　次にこの自動クリップ装着器で、書類やカード等をクリップ８で綴じるには、図１の状態で、本体１前端の差込口７に適宜の用紙を差し込んだ後、プッシャー４の指当て部４０に親指を当てると、バネ片部４２のバネ力に抗して、プッシャー４の前部が降下し、前端の押し当て部３７がその前方にあるクリップ８の折り曲げ部９に当接して、クリップ８を前進させる。
【００２８】
　すると、クリップ８先端のガイド部１２が、拡開ばね１３の後端に当接し、これによりガイド部１２が開き始めながら更に前進し、このため、上下２枚のバネ板部４６は、互いに狭くなって、差込口７内の用紙を挟持しはじめ、ばね板部４６の外面を、クリップ８の耳部１１の内側が摺接しながら移行し、ばね板部４６上の通過が終ると、弾力によりばね板部４６が元の状態に開き、これと同時に、クリップ８はばね板部４６より外れるため、クリップ８は弾力により用紙を挟みこんで綴じつけるものである。
【００２９】
　用紙の綴じ付けが終って、プッシャー４の指当て部４０から、押圧していた親指をはなすと、プッシャー４は伸縮コイルバネ３１の収縮力により後退し、一方クリップ押し具６は前進して、前方のクリップ８を押進し、図１の状態となり、次の使用に備えられるものである。
【実施例２】
【００３０】
　次に図９及び図１０に示す実施例２について説明する。
　この自動クリップ装着器は、前述の実施例１の本体１に、クリップ８を補給装填する際に、クリップ押し具６の後方への移動を容易にすると共に、本体１の底面部の美観を優れたものにするために、ベース２の下面に開閉ハンドル体４９を装着したものである。
【００３１】
　これを図９及び１０について説明すると、図９は本体１の縦断面図で、図１０は一部を切欠き、開閉ハンドル体４９を全開した状態図である。
　クリップ押し具６は、前端に押圧部３０を設けると共に、前部中央に伸縮コイルバネ３１の一端を掛止する掛止突起３２を突設すると共に、後部上方に、伸縮コイルバネ３１の折返し部３４を設け、更に下面に底面部５０を形成したものであって、伸縮コイルバネ３１により、プッシャー４と連結している。
【００３２】
　ベース２に装着される開閉ハンドル体４９は、後部の基部５１が軸（図示なし）によりベース２に回動自在に装着され、先端部に指掛け部２５を設けると共に、中間部に細長い柔軟性の連結体５２の一端を鋲５３により取付け、他端を、クリップ押し具６の底面部５０に鋲５３で取り付けて、開閉ハンドル体４９とクリップ押し具６とを連結する。
【００３３】
　上記のように構成された、この実施例２による自動クリップ装着器に、クリップ８を装填するには、図９の状態で、ベース２に装着されている開閉ハンドル体４９先端の、指掛け部２５に指先を当てて、開閉ハンドル体４９を１８０度開放すると、連結体５２による、開閉ハンドル体４９とクリップ押し具６との連結により、図１０に示すように、クリップ押し具６が後退する。これにより、挿入口２９から、クリップ８を補給装填することができる。
　なお、この実施例２の自動クリップ装着器による、紙綴じのための使用方法等は、前述の実施例１のものと同様であるので説明を省略する。
【実施例３】
【００３４】
　次に図１１及び図１２に示す実施例３について説明する。
　この自動クリップ装着器は、クリップの補給装填を本体１の後方から行うようにしたもので、このため、クリップ送り装置５４を本体１内に着脱可能に装着するようにしたもので、クリップ８で用紙を綴じ付けるための、プッシャー４や拡開ばね１３等の取り付けや、用紙の綴じ付け部門は前述の実施例１のものとほぼ同様である。
【００３５】
　クリップ送り装置５４は、図１１及び図１２に示すように、基部５１を、後方を開放した逆コ字状に形成し、前部に、圧縮コイルばね５５及び、クリップ押し具６を案内する角形の案内杆５６を設け、先端部にクリップ押し具６が外れないように鍔部５７を設ける。
【００３６】
　前記の基部５１は、後部両側に掛止部２６を設け、この掛止部２６を、本体１の後部内側に設けた掛合部２８に着脱可能に掛止できるようになっている。
　又案内杆５６に装着されたクリップ押し具６は、前端に押圧部３０を設けると共に、下部に案内杆５６が貫通する透孔５８を設け、上面の両側縁に摺接部３３を形成し、前後摺動可能に案内杆５６に嵌装する。
【００３７】
　前記クリップ送り装置５４は、図１１に示すように本体１に装着され案内杆５６の先端は、ベース２の先端内部に設けられた止部５９に止着され、また基部５１は、掛止部２６がカバー３の後部に設けられた掛合部（図示なし）に掛止されて、不用意に外れないようになっている。
　この実施例３の自動クリップ装着器に、クリップ８を装填するには、図１１の状態で、基部５１両側の指当て部４０に、指先を当てて押圧すると、逆コの字状に形成された基部５１が狭くなって、掛止部２６がカバー３後部の掛合部２８からはずれ、これによりクリップ送り装置５４を本体１から取り出すことが出来る。
【００３８】
　これにより、本体１の後部のクリップ挿入口２９から、クリップ８を順次挿入し、適宜の数の挿入が終ったら、クリップ送り装置５４を、図１１に示すように本体１に装着すると、クリップ押し具６が、圧縮コイルばね５５の弾力によって、押圧部３０が前方のクリップ８を前進させて、図１１のように使用可能状態になる。
　なお、この実施例３の自動クリップ装着器による、紙綴じのための使用方法等は、前述の実施例１のものと同様であるので説明を省略する。
【実施例４】
【００３９】
　次に図１３及び図１４に示す実施例４について説明する。
この自動クリップ装着器は、クリップ８の補給装填を、本体１の下面から装填するようにしたもので、このため、クリップ送り装置５４を、本体１底面のベース２に回動自在に装着するようにしたものである。
　なお、書類等を綴じつけるための用紙の差込口７や、その後方の拡開ばね１３の取り付け、プッシャー４の装着方法は、前述の実施例１のものと同様である。
【００４０】
　クリップ送り装置５４は、図１３及び図１４に示すように、基部５１に軸孔６０を設けると共に、基部５１の前部に、圧縮コイルばね５５及び、クリップ押し具６を案内する角形の案内杆５６を設け、先端部にクリップ押し具６が外れないように鍔部５７を設ける。
【００４１】
　前記の基部５１には軸孔６０を穿孔し、この軸孔６０にベース２後部に設けた突軸（図示なし）を嵌合して、クリップ送り装置５４を回動自在にベース下面に装着する。
　また案内杆５６に嵌装されたクリップ押し具６は、前端に押圧部３０を設けると共に、下部に案内杆５６が貫通する透項５８を設け、上面の両側縁に摺接部３３を形成し、更に下面に引張り片６１を一体的に設け、案内杆５６に前後摺動可能に嵌装する。
　上記のように構成されたクリップ送り装置５４を、図１３に示すように本体１の下面に装着し、クリップ押し具６の押圧部３０が、クリップ８を前方に押進して、紙綴りが可能の状態になるものである。
【００４２】
　この実施例４の自動クリップ装着器にクリップ８を装填するには、図１３の状態で、クリップ押し具６の引張り片６１を指先でつまみ、圧縮コイルばね５５のばね力に抗して後方に引張り、クリップ押し具６を溝孔２７の後方に形成された挿入口２９から引き出し、基部５１の軸孔６０を中心に１８０度回動させる。
　そして、ベース２を上向きにして、挿入口２９から、クリップ８をガイド部１２を下向きにして順次挿入し、適量のクリップ８の挿入が終ったら、１８０度に開放しておいたクリップ送り装置５４を反転させ、案内杆５６に嵌装されているクリップ押し具６を、挿入口２９に挿入すると、圧縮コイルばね５５の弾発力により、クリップ押し具６が前進し、押圧部３０が、前方のクリップ８を押進させて、図１３のように使用可能の状態になる。
　なお、本実施例による紙綴じのための使用方法等は、前述の実施例１のものと同様であるので説明を省略する。
【その他の実施例】
【００４３】
　以上本発明に係る、自動クリップ装着器と同器のベース及びカバー並びにクリップ押し具の、好適な実施例について説明したが、前記実施例に限るものではない。実施例１から４までのものは、本体１をベース２とカバー３の組み合わせで形成し、これ以外の構成にしても差支えない。
　例えば、現在販売されているクリップ装着器の「ガチャック（登録商標）」の当初の製品のごとく、本体１の外側部を、縦長に左右別体に成形し、内部に、プッシャー４や、クリップ押し具６等を挿入してから、左右の別体を接着して、本体１を完成させるようにしてもよく、また、プッシャー４やクリップ押し具６等の形状も、本発明の精神を逸脱しない範囲内で、種々設計変更なし得ることは勿論である。
【図面の簡単な説明】
【００４４】
【図１】本発明の自動クリップ装着器の実施例１における、縦断面図である。
【図２】同上、一部を切欠いた正面図である。
【図３】同上、平面図である。
【図４】同上、底面図である。
【図５】同上、ベースに拡開ばねを取り付けた平面図である。
【図６】同上、クリップの斜視図。
【図７】同上、プッシャーの斜視図。
【図８】同上、クリップ押し具の斜視図。
【図９】実施例２における、自動クリップ装着器の縦断面図である。
【図１０】同上、一部を切欠き、開閉ハンドルを全開した状態の平面図。
【図１１】実施例３における、自動クリップ装着器の断面図である。
【図１２】同上、クリップ送り装置の斜視図である。
【図１３】実施例４における、自動クリップ装着器の縦断面図である。
【図１４】同上、クリップ送り装置の斜視図である。
【符号の説明】
【００４５】
　１　　本体
　２　　ベース
　３　　カバー
　４　　プッシャー
　５　　収納部
　６　　クリップ押し具
　７　　差込口
　８　　クリップ
　９　　折り曲げ部
　１０　挟持部
　１１　耳部
　１２　ガイド部
　１３　拡開ばね
　１４　挿入孔
　１５　ピン
　１６　溝
　１７　縁部
　１８　耳ガイド
　１９　掛止片
　２０　掛止溝
　２１　嵌合部
　２２　係止突片
　２３　突子
　２４　突溝
　２５　指掛け部
　２６　掛止部
　２７　溝孔
　２８　掛合部
　２９　挿入口
　３０　押圧部
　３１　伸縮コイルバネ
　３２　掛止突起
　３３　摺接部
　３４　折返し部
　３５　長孔
　３６　摺動縁
　３７　押し当て部
　３８　掛止突部
　３９　突起部
　４０　指当て部
　４１　垂下部
　４２　ばね片部
　４３　掛止突子
　４６　ばね板部
　４７　クリップ取り部
　４８　弾性板部
　４９　開閉ハンドル体
　５０　底面部
　５１　基部
　５２　連結帯
　５３　鋲
　５４　クリップ送り装置
　５５　圧縮コイルバネ
　５６　案内杆
　５７　鍔部
　５８　透孔
　５９　止部
　６０　軸孔
　６１　引張り片
　６２　側面部
　６３　カバー半体
　６４　ヒンジ部
　６５　ロット
　６６　ロット受け部
　６７　蓋体
【図１】
2004001573.tif 000003
【図２】
2004001573.tif 000004
【図３】
2004001573.tif 000005
【図４】
2004001573.tif 000006
【図５】
2004001573.tif 000007
【図６】
2004001573.tif 000008
【図７】
2004001573.tif 000009
【図８】
2004001573.tif 000010
【図９】
2004001573.tif 000011
【図１０】
2004001573.tif 000012
【図１１】
2004001573.tif 000013
【図１２】
2004001573.tif 000014
【図１３】
2004001573.tif 000015
【図１４】
2004001573.tif 000016